(57)【要約】【課題】流れ抵抗を小さくしたろ過装置を提供する。【解決手段】一方に流入口５８ａを開口し、他方に流出口４２ａを開口し、流入口５８ａおよび流出口４２ａ間に流路を形成したハウジング４１と、流路中に設けられ液体中の固体を取り除くろ過用フィルター７０と、流路中に設けられた偏向用フィルター６０とならなり、流路の面積は、流入口５８ａおよび流出口４２ａの面積よりも大きく、流路と直交方向に流入口５８ａおよび流出口４２ａを互いにずらして設け、偏向用フィルター６０は、流路と直交方向に流出口４２ａ側へ液体の流れを偏向させる機能を有する。【選択図】      図１
2014018696.tif 000002
【特許請求の範囲】
【請求項１】
一方に流入口を開口し、他方に流出口を開口し、前記流入口および前記流出口間に流路を形成したハウジングと、前記流路中に設けられ液体中の固体を取り除くろ過用フィルターと、前記流路中に設けられた偏向用フィルターとならなり、前記流路の面積は、前記流入口および前記流出口の面積よりも大きく、前記流路と直交方向に前記流入口および前記流出口を互いにずらして設け、前記偏向用フィルターは、前記流路と直交方向において前記流出口側へ前記液体の流れを偏向させる機能を有することを特徴するろ過装置。
【請求項２】
前記偏向フィルターは、板材に多数の貫通穴を穿孔させたものであり、前記流路と直交方向において前記貫通穴の前記流出口側の開口を、前記貫通穴の前記流入口側の開口に対し前記流出口側に設けたことを特徴とする請求項１に記載のろ過装置。
【発明の詳細な説明】
【技術分野】
【０００１】
本発明は、内部にろ過用フィルターおよび偏向フィルターを設けたろ過装置に関する。
【背景技術】
【０００２】
特許文献１に示すように、内燃機関の各部に潤滑オイルを送給するために、潤滑オイルをろ過装置でろ過し、オイルポンプで圧送している。ろ過装置は、内部に流路を形成するとともに流路の一方に流入口を開口し、流路の他方に流出口を開口したケーシングと、流路内に設けたストレーナとからなる。流路は、流入口および流出口に比べて大きな面積を有し、流入口および流出口は、流路と直交方向に互いにずらして設けられている。こうすることで、ストレーナの流路面積を十分に確保するとともに、ストレーナの全面で潤滑オイルをろ過することができる。
【先行技術文献】
【特許文献】
【０００３】
【特許文献１】実公平２−１８２５８号公報
【発明の概要】
【発明が解決しようとする課題】
【０００４】
こうすることで、逆に流入口から流出口へ流れる潤滑オイルに乱れが生じ、乱れによる大きな流れ抵抗が発生していた。
【０００５】
本発明は上述した問題点を解決するためになされたもので、その目的とするところは、流れ抵抗を小さくしたろ過装置を提供する。
【課題を解決するための手段】
【０００６】
請求項１に記載の発明は、一方に流入口を開口し、他方に流出口を開口し、前記流入口および前記流出口間に流路を形成したハウジングと、前記流路中に設けられ液体中の固体を取り除くろ過用フィルターと、前記流路中に設けられた偏向用フィルターとならなり、前記流路の面積は、前記流入口および前記流出口の面積よりも大きく、前記流路と直交方向に前記流入口および前記流出口を互いにずらして設け、前記偏向用フィルターは、前記流路と直交方向において前記流出口側へ前記液体の流れを偏向させる機能を有することを特徴するものである。
【０００７】
請求項２に記載の発明は、請求項１において、前記偏向フィルターが、板材に多数の貫通穴を穿孔させたものであり、前記流路と直交方向において前記貫通穴の前記流出口側の開口を、前記貫通穴の前記流入口側の開口に対し前記流出口側に設けたことを特徴とするものである。
【発明の効果】
【０００８】
本発明によれば、偏向用フィルターによって流入口から流出口へ向かう液体の流れが作られ、流れの乱れが少なくなって流れ抵抗を小さくすることができる。
【図面の簡単な説明】
【０００９】
【図１】本発明の一実施形態におけるろ過装置の縦断面図
【図２】本発明の一実施形態における図１のＡ−Ａ線断面図
【図３】本発明の一実施形態における図１のＢ−Ｂ線断面図
【発明を実施するための形態】
【００１０】
本発明の一例である実施形態を、図１乃至図３にもとづいて説明する。図１は、ろ過装置の縦断面図、図２は、図１のＡ−Ａ線断面図、図３は、図１のＢ−Ｂ線断面図である。
【００１１】
図１において、自動車の自動変速機のミッションケース１０には、下部にオイルパン３０が取付けられ、オイルパン３０に自動変速機の各部を潤滑する潤滑油が貯えられている。ミッションケース１０には、自動変速機の各部へ潤滑油を圧送するオイルポンプ２０が設けられている。ミッションケース１０の下部に潤滑油をろ過するろ過装置４０が取付けられている。
【００１２】
ミッションケース１０には、回転軸１１が水平軸線回りに回転可能に軸承され、この回転軸１１によってオイルポンプ２０が回転駆動されるようになっている。オイルポンプ２０は、回転軸１１の回転数に応じた流量の潤滑油を吐出するようになっている。ミッションケース１０の下部には、接続部１３が下方へ突出して形成され、ミッションケース１０に、オイルポンプ２０の吸入ポートおよび接続部１３を連通する供給通路１２が形成されている。接続部１３の下部内周に断面円形状の嵌合面１４が形成されている。
【００１３】
オイルパン３０は、水平方向に延びる接続部３１と、接続部３１の内縁に接続され垂直方向に延びる立設部３２と、立設部３２の下縁に接続され水平方向に延びる底部３３とからなっている。底部３３は、平面的に見て四角形状を有し、底部３３の４つの縁よりそれぞれ立設部３２が立設されている。接続部３１で取付けボルト１６を介してミッションケース１０の下部にオイルパン３０が取付けられている。
【００１４】
ろ過装置４０は、ケーシング４１と、ケーシング４１内に設けられたろ過用フィルター７０および偏向用フィルター６０とからなる。ケーシング４１は、上部ケーシング４２と、中間部ケーシング５０と、下部ケーシング５５とからなる。ケーシング４１の内部は略長方体形状の空間であり、この空間を潤滑油で満たすとともに潤滑油が下から上へ流れることによって流路が形成されている。流路は、水平方向に流路面積を持つ。
【００１５】
上部ケーシング４２は、垂直方向に延びる円筒形状の第１接続部４３と、第１接続部４３の下縁より水平方向に延びる天部４４と、天部４４の外縁より垂直方向に延びる第１立設部４５と、第１立設部４５の下縁より水平方向に延びる第２接続部４６とからなっている。第１接続部４３の外周は接続部１３の嵌合面１４に嵌合され、接続部１３の下部内周および第１接続部４３の外周間にオイルシール１５が介挿され、これらの間をシールしている。第１接続部４３の内周に流出口４２ａが形成されている。
【００１６】
中間部ケーシング５０は、断面Ｕ字形状の第１かしめ部５１と、第１かしめ部５１の下縁に接続され垂直方向に延びる第２立設部５２と、第２立設部５２の下縁に接続され断面Ｕ字形状の第２かしめ部５３とからなっている。
【００１７】
下部ケーシング５５は、水平方向に延びる第３接続部５６と、第３接続部５６の内縁に接続され斜め下方に延びる傾斜部５７と、傾斜部５７の下縁に接続され水平方向に延びる底部５８とからなっている。底部５８には上下方向に貫通した流入口５８ａが形成されている。流入口５８ａは、流出口４２ａに対し水平方向にずれた位置に形成されている。
【００１８】
断面Ｌ字形状の第１かしめ部５１を断面Ｕ字形状にかしめることによって、第２接続部４６および偏向用フィルター６０が第１かしめ部５１によって挟持される。断面Ｌ字形状の第２かしめ部５３を断面Ｕ字形状にかしめることによって、第３接続部５６およびろ過用フィルター７０が第２かしめ部５３によって挟持される。
【００１９】
流入口５８ａおよび流出口４２ａの流路面積は、ケーシング４１内部の流路面積に比べて格段と小さい。
【００２０】
図１および図３に示すようにろ過用フィルター７０は、金属製の板材に多数の貫通穴７１を穿孔したものである。多数の貫通穴７１は、流出口４２ａを中心に放射状に配置されている。貫通穴７１の穴径は、潤滑油を通過でき、金属の削り屑等の固体を通過できない程度の大きさを有する。
【００２１】
貫通穴７１は、プレス等の打ち抜きによって加工される。貫通穴７１は、後述するフォトエッチングによって形成しても良く、ドリル等の穴明けによって形成しても良い。
【００２２】
図１および図２に示すように偏向用フィルター６０は、金属製の板材に多数の貫通穴を穿孔したものである。多数の貫通穴は、流出口４２ａを中心に放射状に配置されている。貫通穴は、上部側の第１穴６１と、下部側の第２穴６２とからなる。第１穴６１は、第２穴６２に対し水平方向において流出口４２ａ側に設けられる。第１穴６１に対する第２穴６２の水平方向のずれは、流出口４２ａを中心に水平方向に離れるに従って大きくなる。第１穴６１および第２穴６２間の通路面積を確保するために、第１穴６１および第２穴６２は、流出口４２ａを中心に水平方向に離れるに従って、穴径が大きくなるようにかつ、放射方向に大きな長穴になるように加工されている。
【００２３】
第１穴６１および第２穴６２は、フォトエッチングによって形成される。詳細に説明すると、板材の表面にレジスト剤を塗り、光によってレジスト剤を硬化させ、光で硬化していないレジスト剤を除去し、板材を腐食剤によって腐食させることにより、第１穴６１および第２穴６２を形成する。板材の表裏を同時にエッチングするため、ハーフエッチングとも言われている。
【００２４】
第１穴６１および第２穴６２は、貫通穴７１よりも大きめの穴径を有する。貫通穴７１は、０．１乃至０．５ｍｍ程度の穴径であるのに対し、第１穴６１および第２穴６２は、１乃至５ｍｍ程度の穴径を有する。
【００２５】
次に上述した構成にもとづいて、動作を説明する。
【００２６】
オイルパン３０には、第１接続部４３の高さまで潤滑油が入っている。回転軸１１の回転によってオイルポンプ２０を回転駆動すると、オイルポンプ２０による吸引力が発生する。オイルパン３０内の潤滑油は、流入口５８ａ、貫通穴７１、第２穴６２、第１穴６１、流出口４２ａ、供給通路１２を順に経て、オイルポンプ２０の吸入ポートへ流入する。潤滑油が貫通穴７１を通過するときに、金属の削り屑等の固体が取り除かれる。潤滑油が第２穴６２および第１穴６１を通過するときに、流入口５８ａから流出口４２ａへ向かう流れとなり、流れの乱れが少なくなって流れ抵抗が小さくなる。
【００２７】
本発明はこうした実施形態に何等限定されるものではなく、本発明の要旨を逸脱しない範囲において、種々なる態様で実施し得ることは勿論である。
【００２８】
上述した実施形態は、板材の表側に第１穴６１を穿孔し、裏側に第２穴６２を穿孔した。他の実施形態として、ドリルによって斜め方向に貫通した貫通穴を形成しても良い。貫通穴の流出口４２ａ側の開口を、貫通穴の流入口５８ａ側の開口に対し、水平方向において流出口４２ａ側となるように、ドリルの向きを制御する。すなわり、偏向用フィルターの貫通穴は、流出口４２ａを中心にここから離れるに従って、垂直方向に対するドリルの傾きを次第に大きくする。
【００２９】
上述した実施形態は、ろ過用フィルター７０として、金属製の板材に多数の貫通穴７１を穿孔したものを用いた。他の実施形態として、ろ過用フィルター７０は不織布フィルターであっても良い。
【００３０】
上述した実施形態は、液体として潤滑油を用いた。他の実施形態として、液体は水あるいは果汁であっても良い。
【符号の説明】
【００３１】
４１：ケーシング（ハウジング）、４２ａ：流出口、５８ａ：流入口、６０：偏向用フィルター、７０：ろ過用フィルター
【図１】
2014018696.tif 000003
【図２】
2014018696.tif 000004
【図３】
2014018696.tif 000005